(57)【要約】【課題】  Ｖ．８、Ｖ．３４通信を適正に選択して効率の良い画像通信を行うことができるファクシミリ装置を提供することを目的とする。【解決手段】  ＩＴＵ−Ｔ勧告Ｖ．２７ｔｅｒ、Ｖ．２９、Ｖ．１７、Ｖ．３４画伝送可能なファクシミリ装置において、着信時に、ＩＴＵ−Ｔ勧告Ｖ．８手順、Ｖ．３４画伝送の実行へ移行し、ラインプロービング信号の受信時に、使用可能帯域が所定帯域以下の場合には通信を中断し、その後の所定時間内の着信は、ＩＴＵ−Ｔ勧告Ｖ．２１手順、Ｖ．２７ｔｅｒ画伝送を実行することを特徴とする。【選択図】  図１
2005151593.tif 000002
【特許請求の範囲】
【請求項１】
ＩＴＵ−Ｔ勧告Ｖ．２７ｔｅｒ、Ｖ．２９、Ｖ．１７、Ｖ．３４画伝送可能なファクシミリ装置において、
着信時に、ＩＴＵ−Ｔ勧告Ｖ．８手順、Ｖ．３４画伝送の実行へ移行し、ラインプロービング信号の受信時に、使用可能帯域が所定帯域以下の場合には通信を中断し、その後の所定時間内の着信は、ＩＴＵ−Ｔ勧告Ｖ．２１手順、Ｖ．２７ｔｅｒ画伝送を実行することを特徴とするファクシミリ装置。
【請求項２】
ＩＴＵ−Ｔ勧告Ｖ．２７ｔｅｒ、Ｖ．２９、Ｖ．１７、Ｖ．３４画伝送可能なファクシミリ装置において、
呼接続の前に発呼側の宛先を検出する検出手段と、
発呼先の宛先に対応して使用可能帯域を登録する登録手段と、
を有し、
ＩＴＵ−Ｔ勧告Ｖ．８、Ｖ．３４通信時のラインプロービング信号の受信によって判定した使用可能帯域を、発呼先の宛先に対応して登録していき、着呼時には、その相手先の宛先情報を判定し、これに対応して登録されている使用可能帯域により、前記Ｖ．８、Ｖ．３４通信をするか、ＩＴＵ−Ｔ勧告Ｖ．２１、Ｖ．２７ｔｅｒ通信を実行するかを決定することを特徴とするファクシミリ装置。
【請求項３】
請求項２において、
使用可能帯域が所定帯域を超える時には、前記Ｖ．８、Ｖ．３４通信を実行し、所定帯域を以下である時には、前記Ｖ．２１、Ｖ．２７ｔｅｒ通信を実行することを特徴とするファクシミリ装置。
【発明の詳細な説明】
【技術分野】
【０００１】
本発明は、特にＩＴＵ−Ｔ勧告Ｖ．８、Ｖ．３４通信可能なファクシミリ装置に関する。
【背景技術】
【０００２】
従来より、Ｖ．８、Ｖ．３４通信可能なファクシミリ装置において、発呼先電話番号に対応して、Ｖ．８手順を実行するか、Ｖ．２１手順を実行するかを選択するようにしたファクシミリ装置が提案されている（例えば特願平６−３１３８６号；以下、第１の従来技術という）。
【０００３】
この提案では、始めて着信のあった宛先に対しては、Ｖ．３４通信、Ｖ．１７、Ｖ．２９、Ｖ．２７ｔｅｒ通信に対応できる手順を開始して、相手発呼側の能力を判断する。そして、相手側の能力として、Ｖ．３４通信機能があれば、次回以降の当該宛先からの着呼は、Ｖ．８手順で応答する。また、Ｖ．３４通信機能がなければ、次回以降の当該宛先からの着呼は、Ｖ．２１手順で実行し、通信時間の短縮を図るものである。
【０００４】
また、上述のような従来のＶ．８、Ｖ．３４通信可能なファクシミリ装置として、Ｖ．８全二重通信手順、あるいは、Ｖ．３４全二重通信手順の通信が実行不可である場合に、リダイヤルをしてＶ．２１半二重手順、Ｖ．２７ｔｅｒ、Ｖ．２９、Ｖ．１７半二重画伝送を実行するものが提案されている（例えば特願平７−４４１８８号；以下、第２の従来技術という）。
【０００５】
すなわち、全二重通信で不可となった場合、一度回線を解放後、再発呼して呼接続をし、半二重通信を実行していた。
【発明の開示】
【発明が解決しようとする課題】
【０００６】
ところで、上記第１の従来技術においては、回線特性の状況とは無関係に、各発呼側の宛先に対応してＶ．３４通信を選択するか、Ｖ．１７、Ｖ．２９、Ｖ．２７ｔｅｒ通信を選択するかを決定していたため、回線特性の状況によっては、かえって非効率的な通信となってしまう場合がある。
【０００７】
例えば、Ｖ．３４通信では、スーパーフレーム符号化等により１回の瞬断で全ての高速データがエラーとなってしまうという欠点がある。すなわち、瞬断の多い回線で、Ｖ．３４通信を試みると、Ｖ．１７通信よりも通信時間が長くなり、また、通信の確実性が低いという欠点があった。
【０００８】
また、上記第１の従来例においては、使用可能な帯域幅に基づいて伝送ボーレート、伝送ビットレートを決定していないため、使用可能な帯域幅が狭い時は、Ｖ．３４通信を選択すると、２４００ｂ／ｓでも通信できずに通信不可となってしまう場合がある。
【０００９】
すなわち、Ｖ．３４通信のボーレートには、２４００、２７４３、２８００、３０００、３２００、３４２９があり、２４００ｂ／ｓの伝送速度でも２４００ボーは必要である。一方、Ｖ．２７ｔｅｒ、２４００ｂ／ｓのボーレートは、１２００であり、Ｖ．２７ｔｅｒ、４８００ｂ／ｓのボーレートは、１６００である。
【００１０】
このため、使用可能な帯域幅が狭い時にＶ．３４通信を選択すると、２４００ｂ／ｓでも通信できずに通信不可となってしまうという欠点があった。
【００１１】
また、上記第２の従来例においては、ラインプロービング信号に対する応答信号が受信できない時に、全二重通信ができないためと判断し、次回のリダイヤル動作においては、Ｖ．１７の画伝送から試みていた。このため、１４．４ｋｂ／ｓからは１２ｋｂ／ｓ、さらに、９．６ｋｂ／ｓ、７．２ｋｂ／ｓ、４．８ｋｂ／ｓへとフォールバックする必要があり、前手順に要する時間が非常に長くなるという欠点があった。
【００１２】
本発明は、Ｖ．８、Ｖ．３４通信を適正に選択して効率の良い画像通信を行うことができるファクシミリ装置を提供することを目的とする。
【課題を解決するための手段】
【００１３】
本出願の第１の発明は、ＩＴＵ−Ｔ勧告Ｖ．２７ｔｅｒ、Ｖ．２９、Ｖ．１７、Ｖ．３４画伝送可能なファクシミリ装置において、着信時に、ＩＴＵ−Ｔ勧告Ｖ．８手順、Ｖ．３４画伝送の実行へ移行し、ラインプロービング信号の受信時に、使用可能帯域が所定帯域以下の場合には通信を中断し、その後の所定時間内の着信は、ＩＴＵ−Ｔ勧告Ｖ．２１手順、Ｖ．２７ｔｅｒ画伝送を実行することを特徴とする。したがって、この第１の発明では、使用可能帯域が非常に狭く、２４００ボーによるＶ．３４通信が不可の場合には、その通信を断し、相手送信機が再送信してきた時に、１２００ボーあるいは１６００ボーでのＶ．２７ｔｅｒ通信を行うようにして、確実に通信を行うことが可能となる。
【００１４】
また、本出願の第２の発明は、ＩＴＵ−Ｔ勧告Ｖ．２７ｔｅｒ、Ｖ．２９、Ｖ．１７、Ｖ．３４画伝送可能なファクシミリ装置において、呼接続の前に発呼側の宛先を検出する検出手段と、発呼先の宛先に対応して使用可能帯域を登録する登録手段とを有し、ＩＴＵ−Ｔ勧告Ｖ．８、Ｖ．３４通信時のラインプロービング信号の受信によって判定した使用可能帯域を、発呼先の宛先に対応して登録していき、着呼時には、その相手先の宛先情報を判定し、これに対応して登録されている使用可能帯域により、前記Ｖ．８、Ｖ．３４通信をするか、ＩＴＵ−Ｔ勧告Ｖ．２１、Ｖ．２７ｔｅｒ通信を実行するかを決定することを特徴とする。
【００１５】
また、本出願の第３の発明は、前記使用可能帯域が所定帯域を超える時には、前記Ｖ．８、Ｖ．３４通信を実行し、所定帯域を以下である時には、前記Ｖ．２１、Ｖ．２７ｔｅｒ通信を実行することを特徴とする。
【００１６】
以上の第２、第３の発明では、使用可能帯域が狭い宛先からの受信は、Ｖ．２１通信、Ｖ．２７ｔｅｒ通信を確実に実行でき、また、使用可能帯域が広い宛先からの受信は、Ｖ．８、Ｖ．３４通信を実行できる。
【発明の効果】
【００１７】
本出願の第１の発明によれば、使用可能帯域が非常に狭く、２４００ボーによるＶ．３４通信が不可の場合には、その通信を断し、相手送信機が再送信してきた時に、１２００ボーあるいは１６００ボーでのＶ．２７ｔｅｒ通信を行うようにして、確実に通信を行うことが可能となる。
【００１８】
また、本出願の第２、第３の発明によれば、使用可能帯域が狭い宛先からの受信は、Ｖ．２１通信、Ｖ．２７ｔｅｒ通信を確実に実行でき、また、使用可能帯域が広い宛先からの受信は、Ｖ．８、Ｖ．３４通信を実行できる。
【発明を実施するための最良の形態】
【００１９】
発明を実施するための最良の形態は、次の実施例である。
【実施例１】
【００２０】
図１は、本発明の一実施例によるファクシミリ装置の構成を示すブロック図である。
【００２１】
ＮＣＵ（網制御装置）２は、電話網をデータ通信等に使用するために、その回線の端末に接続し、電話交換網の接続制御を行なったり、データ通信路への切換えを行なったり、ループの保持を行なうものである。また、ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお、通常状態では、電話回線２ａは、電話機４側に接続されている。
【００２２】
ハイブリッド回路６は、送信系の信号と受信系の信号とを分離し、加算回路１２からの送信信号をＮＣＵ２経由で、電話回線２ａに送出し、相手側からの信号をＮＣＵ２経由で受取り、信号線６ａ経由で、変復調器８に送るものである。
【００２３】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２０ｃにより、各伝送モードが指定される。この変復調器８は、信号線２０ｂに出力されている信号を入力し、変調データを信号線８ａに出力し、信号線６ａに出力されている受信信号を入力し、復調データを信号線８ｂに出力する。
【００２４】
ＡＮＳａｍ送出回路１０は、ＡＮＳａｍ信号を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しない。
【００２５】
加算回路１２は、信号線８ａの情報と信号線１０ａの情報とを入力し、加算した結果を信号線１２ａに出力するものである。読取回路１４は、原稿の画像を読取り、この読取り画像データを信号線１４ａに出力するものである。記録回路１６は、信号線２０ｅに出力されている情報を順次１ライン毎に記録するものである。
【００２６】
メモリ回路１８は、読取りデータの生情報、あるいは、符号化した情報を格納したり、また、受信情報、あるいは、復号化した情報等を格納するために使用する。
【００２７】
呼出信号検出回路２２は、回線からの呼出信号を検出する回路であり、信号線２ｂ（信号線２ａ）の信号を入力し、呼出信号を検出していると、信号線２２ａに信号レベル「１」の信号を出力し、呼出信号を検出していないと、信号線２２ａに信号レベル「０」の信号を出力する。
【００２８】
電話番号検出回路２４は、前記呼出信号の間に回線（信号線２ａ）より入力される電話番号を検出する回路であり、信号線２ｂの信号を入力して呼出信号間の電話番号情報を信号線２４ａに出力する。
【００２９】
登録回路２６は、呼出信号間の電話番号情報すなわち発呼先に対応して、通信モード、具体的には、Ｖ．８、Ｖ．３４通信を行うか、Ｖ．２１、Ｖ．２７ｔｅｒ、Ｖ．２９、Ｖ．１７通信を行うかを信号線２６ａを介して登録する回路である。
【００３０】
操作部２８は、ワンタッチダイヤル、短縮ダイヤル、スタートキー、セットキー、テンキー、＊・＃キー、登録回路２６への登録キー、その他ファンクションキーを有し、押下されたキー情報を信号線２８ａに出力する。
【００３１】
制御回路２０は、このファクシミリ装置全体を制御するものであり、特に本実施例では、初期状態としては、登録回路２６の各発呼先電話番号に対応してＶ．８、Ｖ．３４通信を実行し、プライマリチャネル受信中にエラーを検出後、最終フレームまで全てのフレームがエラーすることが所定回数連続して発生した場合、以後、該発呼先電話番号に対応してＶ．２１、Ｖ．２７ｔｅｒ、Ｖ．２９、Ｖ．１７通信を実行する。ここで、プライマリチャネル受信中にエラーを検出後、最終フレームまで全てのフレームがエラーすることが所定回数発生する前に、１フレーム正しく受信できると、この所定回数のカウンタをリセットする。
【００３２】
図２〜図６は、本発明の第１実施例における制御回路２０の動作を示すフローチャートである。
【００３３】
図２において、Ｓ０で動作を開始し、Ｓ２では、信号線２６ａを介して、登録回路２６をすべての宛先に対し、Ｖ．８、Ｖ．３４通信をすると登録する。
【００３４】
Ｓ４では、信号線２０ａに信号レベル「０」の信号を出力し、ＣＭＬをオフする。Ｓ６では、信号線２０ｄに信号レベル「０」の信号を出力し、ＡＮＳａｍ信号を送出しない状態とする。
【００３５】
Ｓ８では、信号線２８の情報を入力し、登録回路２６への登録が選択されたか否かを判断し、登録が選択されると、Ｓ１０に進み、信号線２８ａの情報に基づいて、宛先に対応し、Ｖ．８、Ｖ．３４通信をするか、Ｖ．２１、Ｖ．２７ｔｅｒ、Ｖ．２９、Ｖ．１７通信をするかを登録回路２６に登録し、Ｓ１２に進む。また、登録が選択されていないと、直接Ｓ１２に進む。
【００３６】
Ｓ１２では、信号線２２ａの情報を入力し、呼出信号を検出したか否かを判断し、呼出信号を検出すると、Ｓ１６に進み、呼出信号を検出していないと、Ｓ１４に進み、その他の処理をする。
【００３７】
Ｓ１６では、信号線２４ａの情報を入力し、呼出信号間の電話番号を検出したか否かを判断し、検出しているとＳ１８に進み、呼出信号間の電話番号を記憶しておき、検出していないと、Ｓ２４に進む。
【００３８】
Ｓ２０では、呼出信号間の電話番号が登録回路２６に登録されているか否かを判断し、登録されていると、Ｓ２２に進み、登録されていないと、Ｓ２４に進む。
【００３９】
Ｓ２２では、呼出信号間の電話番号に対応し、登録回路２６にどのような通信が登録されているかを判断し、Ｖ．８、Ｖ．３４通信が登録されていると、Ｓ３２に進み、Ｖ．２１、Ｖ．２７ｔｅｒ、Ｖ．２９、Ｖ．１７通信と登録されていると、Ｓ２４に進む。
【００４０】
Ｓ２４では、信号線２０ａに信号レベル「１」の信号を出力し、ＣＭＬをオンする。Ｓ２６ではＶ．２１前手順、Ｓ２８ではＶ．２７ｔｅｒ、Ｖ．２９、Ｖ．１７画信号の受信、Ｓ３０ではＶ．２１後手順を実行する。この後、Ｓ４に進む。
【００４１】
Ｓ３２では、信号線２０ａに信号レベル「１」の信号を出力し、ＣＭＬをオンする。Ｓ３４では、ＡＮＳａｍ信号の送信を行う。Ｓ３６では、Ｖ．８のＣＭ信号を検出したか否かを判断し、検出するとＳ５４に進み、検出していないとＳ３８に進む。
【００４２】
Ｓ３８では、ＡＮＳａｍ信号の送信を開始してから３秒経過したか否かを判断し、３秒経過していないと、Ｓ３４に進み、ＡＮＳａｍ信号の送信を続行し、３秒経過すると、Ｓ４０に進み、ＡＮＳａｍ信号の送信を停止する。
【００４３】
Ｓ４０では、Ｖ．２１のＮＳＩ／ＣＳＩ／ＤＩＳ信号の送信を行う。ここで、Ｖ．８通信機能ありを宣言する。Ｓ４２では、Ｖ．２１のＮＳＳ／ＴＳＩ／ＤＣＳ信号を検出すると、Ｓ４４に進み、この宛先からの受信は、Ｖ．２１、Ｖ．２７ｔｅｒ、Ｖ．２９、Ｖ．１７通信をする旨を登録回路２６に登録し、Ｖ．２１のＮＳＳ／ＴＳＩ／ＤＣＳ信号を検出していないとＳ４６に進む。
【００４４】
Ｓ４６では、Ｖ．８のＣＩ信号を検出したか否かを判断し、Ｖ．８のＣＩ信号を検出するとＳ５２に進み、Ｖ．８のＣＩ信号を検出していないとＳ４８に進む。
【００４５】
Ｓ４８では、Ｖ．２１のＮＳＩ／ＣＳＩ／ＤＩＳ信号を送信終了後、３秒経過したか否かを判断し、３秒経過するとＳ５０に進み、３秒経過していないとＳ４２に進む。
【００４６】
Ｓ５０では、ＣＭＬをオン（呼接続）してから、３５秒経過したか否かを判断し、３５秒が経過しているとＳ４に進み、３５秒が経過していないとＳ４０に進む。
【００４７】
Ｓ５２では、ＡＮＳａｍ信号を送信し、Ｓ５４ではＣＭ信号を受信し、Ｓ５６ではＪＭ信号を送信し、Ｓ５８ではＣＪ信号を受信する。そして、Ｓ６０ではラインプロービング信号を受信し、Ｓ６２ではロングトレーニング信号を受信し、Ｓ６４ではパラメータ交換を行う。
【００４８】
Ｓ６６では、プライマリーチャネル受信中にエラーを検出後、最終フレームまで全てのフレームがエラーすることが所定回数（３回）連続して発生した場合、以後、この発呼先電話番号からの受信は、Ｖ．２１、Ｖ．２７ｔｅｒ、Ｖ．２９、Ｖ．１７通信を行う処理のために、この所定回数（３回）連続エラーをカウントするカウンタ（連続エラーカウンタ）をクリアする。
【００４９】
Ｓ６８では、プライマリーチャネル情報を受信を行い、Ｓ７０では、コントロールチャネルの情報を検出したか否かを判断する。そして、コントロールチャネルの情報を検出するとＳ７２に進み、コントロールチャネルの情報を検出していないとＳ６８に進む。
【００５０】
Ｓ７２、Ｓ７４では、コントロールチャネルの情報の内容を判断し、ＰＰＳ−Ｑ信号（Ｑ；ＥＯＭ、ＭＰＳ、ＥＯＰ）であるとＳ７８に進み、ＣＴＪ信号であるとＳ７６に進み、コントロールチャネルにてＣＴＲ信号の送信をし、ＥＯＲ−Ｑ信号であるとＳ９６に進む。
【００５１】
Ｓ７８では、受信したプライマリーチャネル情報の中にエラーフレームがるか否かを判断し、エラーフレームがあるとＳ８６に進み、エラーフレームがないとＳ８０に進む。
【００５２】
Ｓ８０ではＳ６６にクリアした連続エラーカウンタをクリアし、Ｓ８２ではコントロールチャネルにおけるＭＣＦ信号の送信を表わしている。
【００５３】
Ｓ８４では、受信したＰＰＳ−Ｑ信号は、ＰＰＳ−ＥＯＰ信号であるか否かを判断し、ＰＰＳ−ＥＯＰ信号であるとＳ４に進み、ＰＰＳ−ＥＯＰ信号でないと、次パーシャルページの受信へ移行するためにＳ６８に進む。
【００５４】
Ｓ８６では、プライマリーチャネルの受信時にて、エラーフレーム発生後、全てのフレームがエラーで、かつ、連続エラーフレームは５フレーム以上であるか否かを判断し、肯定応答であるとＳ８８に進み、Ｓ６６にてクリアした連続エラーカウンタの値を１つインクリメントして、Ｓ９０に進む。また、否定応答であるとＳ９４に進みコントロールチャネル信号でＰＰＲ信号を送信し、Ｓ６８に進む。
【００５５】
Ｓ９０では、Ｓ８８にてインクリメントした結果、連続エラーカウンタの値は３以上であるか否かを判断し、３以上であるとＳ９２に進み、この宛先からの受信は、Ｖ．２１、Ｖ．２７ｔｅｒ、Ｖ．２９、Ｖ．１７通信をする旨を登録回路２６に登録し、Ｓ９４に進む。また、３未満であると、直接Ｓ９４に進む。
【００５６】
また、Ｓ９６は、コントロールチャネルにおいてＥＲＲ信号の送信を行い、Ｓ９８では、コントロールチャネルにおいてＤＣＮ信号の送信を行う。この後、Ｓ４に進む。
【実施例２】
【００５７】
次に、本発明の第２実施例について説明する。
【００５８】
この第２実施例は、上記第１実施例において、プライマリーチャネル受信中にエラーを検出後、最終フレームまで全てのフレームがエラーすることが、所定回数（３回）発生する前に、エラーフレーム検出後にフレームを正しく検出できた場合には、この所定回数のカウンタをリセットするものである。
【００５９】
図７は、この第２実施例の動作のうち、前記第１実施例（図２〜図６）と異なる部分を示すフローチャートである。
【００６０】
この図７において、Ｓ１００は、Ｓ８６のＮＯを表わしている。そして、Ｓ１０２では、プライマリーチャネルの受信において、エラーフレーム発生後、正しく受信したフレームがあるか否かを判断し、肯定応答であるとＳ１０４に進み、連続エラーカウンタの値をクリアし、否定応答であるとＳ１０６（Ｓ９４）に進む。
【実施例３】
【００６１】
次に、本発明の第３実施例について説明する。
【００６２】
図８は、本発明の第３〜第５実施例によるファクシミリ装置の構成を示すブロック図である。
【００６３】
ＮＣＵ１０２は、電話網をデータ通信等に使用するために、その回線の端末に接続し、電話交換網の接続制御を行なったり、データ通信路への切換えを行なったり、ループの保持を行なうものである。また、ＮＣＵ１０２は、制御回路１２０からの信号レベル（信号線１２０ａ）が「０」であれば、電話回線１０２ａを電話機１０４側に接続し、信号レベルが「１」であれば、電話回線１０２ａをファクシミリ装置側に接続するものである。なお、通常状態では、電話回線１０２ａは、電話機１０４側に接続されている。
【００６４】
ハイブリッド回路１０６は、送信系の信号と受信系の信号とを分離し、加算回路１１２からの送信信号をＮＣＵ１０２経由で、電話回線１０２ａに送出し、相手側からの信号をＮＣＵ１０２経由で受取り、信号線１０６ａ経由で、変復調器１０８に送るものである。
【００６５】
変復調器１０８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線１２０ｃにより、各伝送モードが指定される。この変復調器１０８は、信号線１２０ｂに出力されている信号を入力し、変調データを信号線１０８ａに出力し、信号線１０６ａに出力されている受信信号を入力し、復調データを信号線１０８ｂに出力する。また、ラインプロービング信号を受信における判定結果として、使用可能帯域の情報を信号線１０８ｃに出力する。ＡＮＳａｍ送出回路１１０は、ＡＮＳａｍ信号を送出する回路であり、信号線１２０ｄに信号レベル「１」の信号が出力されている時には、信号線１１０ａにＡＮＳａｍ信号を送出し、信号線１２０ｄに信号レベル「０」の信号が出力されている時には、信号線１１０ａに何も信号を出力しない。
【００６６】
加算回路１１２は、信号線１０８ａの情報と信号線１１０ａの情報とを入力し、加算した結果を信号線１１２ａに出力するものである。読取回路１１４は、原稿の画像を読取り、この読取り画像データを信号線１１４ａに出力するものである。記録回路１１６は、信号線１２０ｅに出力されている情報を順次１ライン毎に記録するものである。
【００６７】
メモリ回路１１８は、読取りデータの生情報、あるいは、符号化した情報を格納したり、また、受信情報、あるいは、復号化した情報等を格納するために使用する。
【００６８】
呼出信号検出回路１２２は、回線（信号線１０２ａ）からの呼出信号を検出するであり、信号線１０２ｂの信号を入力し、呼出信号を検出していると、信号線１２２ａに信号レベル「１」の信号を出力し、呼出信号を検出していないと、信号線１２２ａに信号レベル「０」の信号を出力する。
【００６９】
電話番号検出回路１２４は、回線（信号線１０２ａ）から入力される呼出信号間の電話番号を検出する回路であり、信号線１０２ｂの信号を入力し、呼出信号間の電話番号情報を信号線１２４ａに出力する。
【００７０】
登録回路１２６は、呼出信号間の電話番号情報すなわち発呼先に対応して、ラインプロービングより判定した使用回線帯域を信号線１２６ａを介して登録する回路である。
【００７１】
制御回路１２０は、このファクシミリ装置全体の制御を行うものであり、特に本実施例において、着信時に、Ｖ．８手順、Ｖ．３４画伝送の実行へ移行し、ラインプロービング信号の受信時において使用可能帯域が所定帯域以下の場合に、通信を中断し、その後の所定時間の着信は、Ｖ．２１手順、Ｖ．２７ｔｅｒ画伝送を実行する制御を行うものである。
【００７２】
図９および図１０は、本発明の第３実施例における制御回路１２０の動作を示すフローチャートである。
【００７３】
図９において、Ｓ２００で動作を開始し、Ｓ２０２では、Ｖ．２７ｔｅｒを強制的に行うタイマ（Ｖ．２７ｔｅｒ通信タイマ）をクリヤする。なお、このタイマは、マイナスにはならないものとする。
【００７４】
Ｓ２０４では、信号線１２０ａに信号レベル「０」の信号を出力し、ＣＭＬをオフする。Ｓ２０６では、信号線１２０ｄに、信号レベル「０」の信号を出力し、ＡＮＳａｎ信号を送信しない状態とする。
【００７５】
Ｓ２０８では、信号線１２２ａの情報を入力し、着信が選択されたか否かを判断し、着信が選択されるとＳ２１２に進み、着信が選択されていないとＳ２１０に進み、その他の処理を行う。
【００７６】
Ｓ２１２では、信号線１２０ａに信号レベル「１」の信号を出力し、ＣＭＬをオンする。Ｓ２１４では、Ｖ．２７ｔｅｒ通信タイマが０を超えるか否かを判断し、０を超えるとＳ２１６以降に進み、Ｖ．２７ｔｅｒ通信を実行し、０であると、Ｓ２２２以降に進み、Ｖ．８、Ｖ．３４通信を実行する。
【００７７】
Ｓ２１６では、前手順を行う。ここで、Ｖ．２１のＤＩＳ信号にて、Ｖ．２７ｔｅｒの４８００ｂ／ｓ、２４００ｂ／ｓの通信機能ありを宣言する。Ｓ２１８では、Ｖ．２７ｔｅｒによる画信号の受信を行う。Ｓ２２０では、Ｖ．２１による後手順を行い、Ｓ２０４に進む。
【００７８】
一方、Ｓ２２２ではＡＮＳａｍ信号の送信、Ｓ２２４ではＣＭ信号の受信、Ｓ２２６ではＪＭ信号の送信、Ｓ２２８ではＣＪ信号の受信を順次行う。そして、Ｓ２３０では、ラインプロービング信号の受信を行い、この結果をＳ２３２で判断し、使用回線帯域が２４００Ｈｚ以上であればＳ２３４に進み、Ｖ．３４通信を続行し、２４００Ｈｚ未満であるとＳ２４０に進み、通信を中断する。
【００７９】
Ｓ２３４ではロングトレーニング信号の受信、Ｓ２３６ではパラメータ交換、Ｓ２３８ではプライマリーチャネルの伝送、コントロールチャネルの伝送を順次行う。この後、Ｓ１０４に進む。
【００８０】
また、Ｓ２４０では、Ｖ．２７ｔｅｒ通信タイマに１０分をセットする。そして、Ｓ２４２では、使用回線帯域が狭いので、Ｖ．３４通信を中断する旨を通信結果レポートとして記録する。この後、Ｓ１０４に進む。
【実施例４】
【００８１】
次に、本発明の第４実施例について説明する。
【００８２】
この第４実施例は、Ｖ．８、Ｖ．３４通信時のラインプロービング信号の受信によって判定した使用可能帯域を、その宛先に対応して逐次登録していき、着呼時には、その相手先の宛先情報を判定し、これに対応して登録されている使用可能帯域により、Ｖ．８、Ｖ．３４通信をするか、Ｖ．２１、Ｖ２７ｔｅｒ通信を実行するかを決定する。すなわち、使用可能帯域が所定帯域を超える時には、Ｖ．８、Ｖ．３４通信を実行し、所定帯域以下である時には、Ｖ．２１、Ｖ．２７ｔｅｒ通信を実行する。
【００８３】
図１１、図１２は、この第４実施例の動作のうち、上記第３実施例（図９、図１０）と異なる部分を示すフローチャートである。
【００８４】
図１１において、Ｓ２５０は上記Ｓ２００を表している。そして、Ｓ２５２では、信号線１２６ａを介して、登録回路１２６の内容を全てクリアする。この後、Ｓ２５４において、上記Ｓ２０４に進む。
【００８５】
また、Ｓ２５６は、上記Ｓ２０８のＹＥＳを表している。そして、Ｓ２５８では、呼出信号間の電話番号情報があれば、これを記憶する。次に、Ｓ２６０では、Ｓ２５８で検出した宛先が、登録回路１２６に登録されているか否かを判断し、登録されているとＳ２６６に進み、登録されていないとＳ２６２に進む。
【００８６】
Ｓ２６２では、信号線１２０ａに信号レベル「１」の信号を出力し、ＣＭＬをオンする。そして、Ｓ２６４では、上記Ｓ２２２に進む。
【００８７】
また、Ｓ２６６では、Ｓ２５８で検出した宛先の登録回路１２６に登録されている使用回線帯域は２４００Ｈｚ以上であるか否かを判断し、２４００Ｈｚ以上であるとＳ２６２に進み、２４００Ｈｚ未満であるとＳ２６８に進む。
【００８８】
また、Ｓ２６８では、信号線１２０ａに信号レベル「１」の信号を出力し、ＣＭＬをオンする。そして、Ｓ２７０では、上記Ｓ２１６に進む。
【００８９】
また、Ｓ２７２は、上記Ｓ２３０を表している。そして、Ｓ２７４では、Ｓ２５８で検出した発呼先に対応して、ラインプロービングの受信で検出した使用回線帯域の登録回路１２６に登録する。この後、Ｓ２７６では、上記Ｓ２３４に進む。
【実施例５】
【００９０】
次に、本発明の第５実施例について説明する。
【００９１】
この第５実施例は、着信時に、Ｖ．８手順、Ｖ．３４画伝送の実行へ移行し、ラインプロービング信号の受信時において、使用可能帯域が所定帯域以下の場合には、Ｖ．２１手順へ移行し、その後、Ｖ．２７ｔｅｒ画伝送を実行するものである。
【００９２】
図１３は、この第５実施例の動作のうち、上記第３実施例（図９、図１０）と異なる部分を示すフローチャートである。
【００９３】
図１３において、Ｓ２８０は上記Ｓ２００、Ｓ２８２は上記Ｓ２０４を表し、また、Ｓ２８４は上記Ｓ２１２、Ｓ２８６は上記Ｓ２２２を表している。すなわち、本実施例では、Ｓ２００よりＳ２０４に直接進み、Ｓ２１２よりＳ２２２に直接進むことにより、Ｖ．２７ｔｅｒ通信タイマによる処理を行わないものである。
【００９４】
また、Ｓ２８８は上記Ｓ２３２のＮＯを表している。そして、Ｓ２９０では、Ｖ．２１のＮＳＦ／ＣＳＩ／ＤＩＳ信号の送信を行う。ここで、ＤＩＳ信号により、Ｖ．２７ｔｅｒの４８００ｂ／ｓ、２４００ｂ／ｓの受信機能ありのみを通知する。
【００９５】
次に、Ｓ２９２では、Ｖ．２１のＮＳＳ／ＴＳＩ／ＤＣＳ信号の受信を行う。そして、Ｓ９４では、Ｖ．２１に基づいた前手順、Ｓ９６ではＶ．２７ｔｅｒによる画伝送、Ｓ９８ではＶ．２１に基づいた後手順を順次行い、Ｓ３００でＳ２０４に進む。
【実施例６】
【００９６】
次に、本発明の第６実施例について説明する。
【００９７】
図１４は、本発明の第６、第７実施例によるファクシミリ装置の構成を示すブロック図である。
【００９８】
ＮＣＵ２０２は、電話網をデータ通信等に使用するために、その回線の端末に接続し、電話交換網の接続制御を行なったり、データ通信路への切換えを行なったり、ループの保持を行なうものである。また、ＮＣＵ２０２は、制御回路２２０からの信号レベル（信号線２２０ａ）が「０」であれば、電話回線２０２ａを電話機２０４側に接続し、信号レベルが「１」であれば、電話回線２０２ａをファクシミリ装置側に接続するものである。なお、通常状態では、電話回線２０２ａは、電話機２０４側に接続されている。
【００９９】
ハイブリッド回路２０６は、送信系の信号と受信系の信号とを分離し、加算回路２１２からの送信信号をＮＣＵ２０２経由で、電話回線２０２ａに送出し、相手側からの信号をＮＣＵ２０２経由で受取り、信号線２０６ａ経由で、変復調器２０８に送るものである。
【０１００】
変復調器２０８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２２０ｃにより、各伝送モードが指定される。この変復調器２０８は、信号線２２０ｂに出力されている信号を入力し、変調データを信号線２０８ａに出力し、信号線２０６ａに出力されている受信信号を入力し、復調データを信号線２０８ｂに出力する。
【０１０１】
ＡＮＳａｍ送出回路２１０は、ＡＮＳａｍ信号を送出する回路であり、信号線２２０ｄに信号レベル「１」の信号が出力されている時には、信号線２１０ａにＡＮＳａｍ信号を送出し、信号線２２０ｄに信号レベル「０」の信号が出力されている時には、信号線２１０ａに何も信号を出力しない。
【０１０２】
加算回路２１２は、信号線２０８ａの情報と信号線２１０ａの情報とを入力し、加算した結果を信号線２１２ａに出力するものである。読取回路２１４は、原稿の画像を読取り、この読取り画像データを信号線２１４ａに出力するものである。記録回路２１６は、信号線２２０ｅに出力されている情報を順次１ライン毎に記録するものである。
【０１０３】
メモリ回路２１８は、読取りデータの生情報、あるいは、符号化した情報を格納したり、また、受信情報、あるいは、復号化した情報等を格納するために使用する。
【０１０４】
発呼回路２２２は、信号線２０ｇに発呼命令パルスが発生した時、信号線２２０ｆに出力されている電話番号の選択信号を信号線２０２ｂに出力する。
【０１０５】
登録回路２２４は、ワンタッチダイヤル、短縮ダイヤルの発呼先に対応し、通信モードおよびカウンタ（通信エラーカウンタ、通信成立カウンタとして使用される）を登録する回路であり、信号線２２４ａを介して入出力される。
【０１０６】
制御回路２２０は、このファクシミリ装置全体を制御するものであり、特に本実施例において、Ｖ．８、Ｖ．３４通信を開始して、ラインプロービング信号を送信後、相手機からの応答信号を受信できない場合には、回線を断し、所定時間経過後に当該宛先へ自動発呼し、再送信を実行する処理を制御する。そして、この再送信を行う場合に、Ｖ．２１、Ｖ．２７ｔｅｒ通信とするよう制御するものである。
【０１０７】
図１５〜図１７は、この第６実施例における制御回路２２０の動作を示すフローチャートである。
【０１０８】
まず、Ｓ４００において動作を開始し、Ｓ４０２では、信号線２２０ａに信号レベル「０」の信号を出力し、ＣＭＬをオフする。また、Ｓ４０４では、信号線２２０ｄに信号レベル「０」の信号を出力し、ＡＮＳａｍ信号を送出しない状態とする。
【０１０９】
次に、Ｓ４０６では、図１４では不図示の操作部により、自動発呼が選択されたか否かを判断し、選択されるとＳ４１０に進み、選択されていないとＳ４０８に進み、その他の処理をする。
【０１１０】
Ｓ４１０では、発呼回数をカウントする発呼カウンタに０をセットする。Ｓ４１２では、発呼回路２２２を使用して、指定された宛先へ発呼する。Ｓ４１３では、信号線２２０ａに信号レベル「１」の信号を出力し、ＣＭＬをオンする。
【０１１１】
次に、Ｓ４１４ではＡＮＳａｍ信号の受信、Ｓ４１６ではＣＭ信号の受信、Ｓ４１８ではＪＭ信号の受信、Ｓ４２０ではＣＪ信号の送信を順次行う。
【０１１２】
次に、Ｓ４２２は、ラインプロービング信号の送信を表わしており、Ｓ４２２ではラインプロービング信号に対する応答信号ＩＮＦＯｈ信号を受信したか否かを判断し、ＩＮＦＯｈ信号を受信すると、Ｓ４２６に進み、ＩＮＦＯｈ信号を受信していないと、Ｓ４３２に進む。
【０１１３】
Ｓ４２６ではロングトレーニング信号の受信、Ｓ４２８ではパラメータ交換、Ｓ４３０ではプライマリーチャネルの伝送、コントロールチャネルの伝送を順次行う。この後、Ｓ４０２に進む。
【０１１４】
また、Ｓ４３２では、信号線２３２ａに信号レベル「０」の信号を出力してＣＭＬをオフし、Ｓ４３４では、発呼カウンタの値を１つインクリメントする。
【０１１５】
Ｓ４３６では、発呼カウンタは３以上であるか否かを判断し、３以上であるとＳ４０２に進む。
【０１１６】
また、３未満であるとＳ４３８に進み、１分間ウェイトした後、Ｓ４４０では、発呼回路２２２を使用して、今発呼した宛先へリダイヤルする。
【０１１７】
次に、Ｓ４４２では、信号線２２０ａに信号レベル「１」の信号を出力してＣＭＬオンし、Ｓ４４４では、Ｖ．２１による前手順を行う。ここで、Ｖ．２１のＤＣＳ信号により、Ｖ．２７ｔｅｒの４８００ｂ／ｓを選択する。また、トレーニングＴＣＦ信号において、フォールバックした場合は、２４００ｂ／ｓでの伝送を選択する。そして、Ｓ４４６では、Ｖ．２７ｔｅｒでの画伝送を行い、Ｓ４４８では、Ｖ．２１による後手順を行う。この後、Ｓ４０２に進む。
【実施例７】
【０１１８】
次に、本発明の第７実施例について説明する。
【０１１９】
この第７実施例では、初期状態としては、発呼先に対応してＶ．８、Ｖ．３４通信を実行することを登録しておき、実際に発呼が選択されて、ラインプロービング信号を送信した後、相手先からの応答信号を受信できない通信が２回連続した場合には、以後の当該宛先への発呼は、Ｖ．２１、Ｖ．２７ｔｅｒ通信とするものである。
【０１２０】
また、この第７実施例では、Ｖ．２１、Ｖ．２７ｔｅｒ通信を行うように登録した発呼先への通信において、５回連続して４８００ｂ／ｓ通信がエラーなく成立した場合、以後、当該宛先へは、Ｖ．２１、Ｖ．２７ｔｅｒ、Ｖ．２９、Ｖ．１７通信を行うように登録し、この情報に基づいて通信を実行する。
【０１２１】
さらに、この第７実施例では、Ｖ．２１、Ｖ．２７ｔｅｒ、Ｖ．２９、Ｖ．１７通信を行うように登録した発呼先への通信において、５回連続して、１４．４ｋｂ／ｓの通信がエラーなく成立した場合、以後、当該宛先へは、Ｖ．８、Ｖ．３４通信を行うと登録し、この情報に基づいて通信を実行する。
【０１２２】
図１８、図１９は、この第７実施例における制御回路２２０の動作のうち、上記第６実施例（図１５〜図１７）と異なる部分を示すフローチャートである。
【０１２３】
図１８において、Ｓ４５０は上記Ｓ４００を表わしている。そして、Ｓ４５２では、信号線４２４ａを介して回路２２４をすべての宛先に対して、Ｖ．８、Ｖ．３４通信として、カウンタはクリアする。この後、Ｓ４５４では、上記Ｓ４０２に進む。
【０１２４】
また、Ｓ４５６は、上記Ｓ４１３を表わしている。そして、Ｓ４５８では、発呼した宛先に対応し、登録回路２２４に登録されている通信モードをチェックし、Ｖ．８、Ｖ．３４通信であるとＳ４６０（Ｓ４１４）に進み、Ｖ．２１、Ｖ．２７ｔｅｒ通信であると、Ｓ４６２（Ｓ４４４）に進み、Ｖ．２１、Ｖ．２７ｔｅｒ、Ｖ．２９、Ｖ．１７通信であると、Ｓ４６４に進む。
【０１２５】
Ｓ４６４では、Ｖ．２１による前手順を行う。ここでＤＣＳ信号により、Ｖ．１７、Ｖ．２９、Ｖ．２７ｔｅｒを高い伝送スピードから選択する。そして、Ｓ４６６では、Ｖ．１７、Ｖ．２９、Ｖ．２７ｔｅｒでの画伝送を行い、Ｓ４６８では、Ｖ．２１での後手順を行う。
【０１２６】
Ｓ４７０では、全ページが１４．４ｋｂ／ｓでの伝送であるか否かを判断し、肯定応答であるとＳ４７４に進み、否定応答であるとＳ４７２に進む。
【０１２７】
Ｓ４７２では、信号線２２４ａを介して登録回路２２４の指定された発呼先のカウンタ値をクリアする。この後、Ｓ４８０で上記Ｓ４０２に進む。
【０１２８】
また、Ｓ４７４では、信号線２２４ａを介して登録回路２２４の指定された発呼先のカウンタ値を１つインクリメントする。そして、Ｓ４７６では、Ｓ４７４でのインクリメントしたカウンタ値が５以上になったか否かを判断し、５以上になるとＳ４７８に進み、５未満であるとＳ４８０で上記Ｓ４０２に進む。
【０１２９】
Ｓ４７８では、信号線２２４ａを介して登録回路２２４の指定された宛先に対応してＶ．８、Ｖ．３４通信とし、カウンタはリセットして記憶する。この後、Ｓ４８０で上記Ｓ４０２に進む。
【０１３０】
次に、Ｓ４８２は、上記Ｓ４４８を表わしている。そして、Ｓ４８４では、全ページが４．８ｋｂ／ｓでの伝送であるか否かを判断し、肯定応答である時にはＳ４８６に進み、否定応答であるとＳ４７２に進む。
【０１３１】
Ｓ４８６では、上記Ｓ４７４と同様に、信号線２２４ａを介して登録回路２２４の指定された発呼先のカウンタ値を１つインクリメントする。そして、Ｓ４８８では、上記Ｓ７６と同様に、上記Ｓ４８６でインクリメントしたカウンタ値が５以上であるか否かを判断し、５未満であるとＳ４９２（Ｓ４０２）に進み、５以上であるとＳ４９０に進む。
【０１３２】
Ｓ４９０では、信号線２２４ａを介して登録回路２２４の指定された宛先に対応し、Ｖ．２１、Ｖ．２７ｔｅｒ、Ｖ．２９、Ｖ．１７通信とし、カウンタはリセット記憶する。この後、Ｓ４９２（Ｓ４０２）に進む。
【０１３３】
また、Ｓ４９４は上記Ｓ４３０を、Ｓ４９６は上記Ｓ４７２を表している。すなわち、この実施例では、Ｓ４９４でプライマリーチャネルの伝送、コントロールチャネルの伝送を順次行った後、直接Ｓ４０２に進むのではなく、Ｓ４９６で信号線２２４ａを介して登録回路２２４の指定された発呼先のカウンタ値をクリアした後、Ｓ４８０で上記Ｓ４０２に進むものである。
【０１３４】
また、Ｓ４９８はＳ４２４のＮＯを表わしている。そして、Ｓ５００では、信号線２２４ａを介して登録回路２２４の指定された発呼先のカウンタ値を１つインクリメントする。
【０１３５】
次に、Ｓ５０２では、Ｓ５００でインクリメントしたカウンタ値が２以上であるか否かを判断し、２以上であるとＳ５０４に進み、２未満であるとＳ５０６で上記Ｓ４０２に進む。
【０１３６】
Ｓ５０４では、信号線２２４ａを介して登録回路２２４の指定された宛先に対応し、Ｖ．２１、Ｖ．２７ｔｅｒ通信とし、カウンタはリセットして記憶する。この後、Ｓ５０６で上記Ｓ４０２に進む。
【図面の簡単な説明】
【０１３７】
【図１】本発明の第１、第２実施例の構成を示すブロック図である。
【図２】上記第１実施例の動作を示すフローチャートである。
【図３】上記第１実施例の動作を示すフローチャートである。
【図４】上記第１実施例の動作を示すフローチャートである。
【図５】上記第１実施例の動作を示すフローチャートである。
【図６】上記第１実施例の動作を示すフローチャートである。
【図７】上記第２実施例の動作を示すフローチャートである。
【図８】本発明の第３、第４、第５実施例の構成を示すブロック図である。
【図９】上記第３実施例の動作を示すフローチャートである。
【図１０】上記第３実施例の動作を示すフローチャートである。
【図１１】上記第４実施例の動作を示すフローチャートである。
【図１２】上記第４実施例の動作を示すフローチャートである。
【図１３】上記第５実施例の動作を示すフローチャートである。
【図１４】本発明の第６、第７実施例の構成を示すブロック図である。
【図１５】上記第６実施例の動作を示すフローチャートである。
【図１６】上記第６実施例の動作を示すフローチャートである。
【図１７】上記第６実施例の動作を示すフローチャートである。
【図１８】上記第７実施例の動作を示すフローチャートである。
【図１９】上記第７実施例の動作を示すフローチャートである。
【符号の説明】
【０１３８】
２、１０２、２０２…ＮＣＵ、
４、１０４、２０４…電話機、
６、１０６、２０６…ハイブリッド回路、
８、１０８、２０８…変復調器、
１０、１１０、２１０…ＡＮＳａｍ送出回路、
１２、１１２、２１２…加算回路、
１４、１１４、２１４…読取回路、
１６、１１６、２１６…記録回路、
１８、１１８、２１８…メモリ回路、
２０、１２０、２２０…制御回路、
２２、１２２…呼出信号検出回路、
２４、１２４…電話番号検出回路、
２６、１２６、２２４…登録回路、
２８…操作部、
２２２…発呼回路。
【図１】
2005151593.tif 000003
【図２】
2005151593.tif 000004
【図３】
2005151593.tif 000005
【図４】
2005151593.tif 000006
【図５】
2005151593.tif 000007
【図６】
2005151593.tif 000008
【図７】
2005151593.tif 000009
【図８】
2005151593.tif 000010
【図９】
2005151593.tif 000011
【図１０】
2005151593.tif 000012
【図１１】
2005151593.tif 000013
【図１２】
2005151593.tif 000014
【図１３】
2005151593.tif 000015
【図１４】
2005151593.tif 000016
【図１５】
2005151593.tif 000017
【図１６】
2005151593.tif 000018
【図１７】
2005151593.tif 000019
【図１８】
2005151593.tif 000020
【図１９】
2005151593.tif 000021
【手続補正書】
【提出日】平成17年1月25日(2005.1.25)
【手続補正１】
【補正対象書類名】特許請求の範囲
【補正対象項目名】全文
【補正方法】変更
【補正の内容】
【特許請求の範囲】
【請求項１】
ＩＴＵ−Ｔ勧告Ｖ．２７ｔｅｒ、Ｖ．２９、Ｖ．１７、Ｖ．３４画伝送可能なファクシミリ装置において、
着信時に、ＩＴＵ−Ｔ勧告Ｖ．８手順、Ｖ．３４画伝送の実行へ移行し、ラインプロービング信号の受信時に、使用可能帯域が所定帯域以下の場合には通信を中断し、その後の所定時間内の着信は、ＩＴＵ−Ｔ勧告Ｖ．２１手順、Ｖ．２７ｔｅｒ画伝送を実行することを特徴とするファクシミリ装置。
【請求項２】
ＩＴＵ−Ｔ勧告Ｖ．２７ｔｅｒ、Ｖ．２９、Ｖ．１７、Ｖ．３４画伝送可能なファクシミリ装置において、
発呼先の宛先に対応して使用可能帯域を登録する登録手段と；
呼接続の前に発呼側の宛先を検出する検出手段と；
ＩＴＵ−Ｔ勧告Ｖ．８、Ｖ．３４通信時のラインプロービング信号の受信によって判定した使用可能帯域を、発呼先の宛先に対応して登録し、着呼時に、検出手段によって検出された相手先の宛先に対応して登録されている使用可能帯域により、前記Ｖ．８、Ｖ．３４通信をするか、ＩＴＵ−Ｔ勧告Ｖ．２１、Ｖ．２７ｔｅｒ通信を実行するかを決定する決定手段と；
を有することを特徴とするファクシミリ装置。
【請求項３】
請求項２において、
使用可能帯域が所定帯域を超える時には、前記Ｖ．８、Ｖ．３４通信を実行し、所定帯域を以下である時には、前記Ｖ．２１、Ｖ．２７ｔｅｒ通信を実行することを特徴とするファクシミリ装置。
【手続補正２】
【補正対象書類名】明細書
【補正対象項目名】００１４
【補正方法】変更
【補正の内容】
【００１４】
また、本出願の第２の発明は、ＩＴＵ−Ｔ勧告Ｖ．２７ｔｅｒ、Ｖ．２９、Ｖ．１７、Ｖ．３４画伝送可能なファクシミリ装置において、発呼先の宛先に対応して使用可能帯域を登録する登録手段と、呼接続の前に発呼側の宛先を検出する検出手段と、ＩＴＵ−Ｔ勧告Ｖ．８、Ｖ．３４通信時のラインプロービング信号の受信によって判定した使用可能帯域を、発呼先の宛先に対応して登録し、着呼時に、検出手段によって検出された相手先の宛先に対応して登録されている使用可能帯域により、前記Ｖ．８、Ｖ．３４通信をするか、ＩＴＵ−Ｔ勧告Ｖ．２１、Ｖ．２７ｔｅｒ通信を実行するかを決定する決定手段とを有することを特徴とする。